(57)【要約】      （修正有）【課題】電動モータ等の取付金具の位置決めの困難な溶接作業をなくして、容易に自動ダンパーを組立て且つ分解可能とすること。【解決手段】ダンパー本体と、このダンパー本体の外側に延長する回動軸案内筒体５４に取付金具を介して電動モータ６０を組み付けた自動ダンパーである。取付金具は、螺子等の固定手段によってダンパー本体に組立て及び分解可能に取り付けられ、この取付金具に電動モータ６０を固定する。弁体の回動軸５３に連結軸３０を連結して、この連結軸３０を介して電動モータ６０の回転部６１と弁体５１の回動軸５３とを連結した。取付金具は、下取付金具１０と上取付金具２０とからなり、下取付金具１０は前記回動軸案内筒体５４に取り付けられ、上取付金具２０は下取付金具１０に固定される。下取付金具１０は一対の部材からなり、案内筒体５４と直交する方向で、その両側から案内筒体５４を挟持するようにボルト等により取り付けられる。【選択図】図１
2006153415.tif 000002
【特許請求の範囲】
【請求項１】
エアーが流通する管体（５０）と、その管体（５０）内部に配設される回動自在の風量調節用弁体（５１）とからなるダンパー本体と、このダンパー本体の外側に組み付けられる電動モータ等の回転駆動部（６０）とからなり、ダンパー本体の弁体（５１）の回動軸（５３）を回転駆動部（６０）の回転部（６１）と連結して、弁体（５１）を開閉自在に回動させることができる自動ダンパーにおいて、
取付金具を螺子等の固定手段によって組立て及び解体可能にダンパー本体に組み付け、この取付金具に回転駆動部を固定することができ、
且つ、弁体（５１）の回動軸（５３）に連結軸（３０）を連結して、この連結軸（３０）を介して回転駆動部（６０）の回転部（６１）と前記弁体（５１）の回動軸（５３）とを連結したことを特徴とする自動ダンパー。
【請求項２】
請求項１において、取付金具が、弁体（５１）の回動軸（５３）を案内する案内筒体（５４）の端部に形成されたフランジ部（５６）の両側に位置する２つの取付金具からなり、
一方の取付金具（１０，１０）は前記案内筒体（５４）に取り付けられ、他方の取付金具（２０）が前記一方の取付金具（１０，１０）に取り付けられ、この他方の取付金具（２０）に回転駆動部（６０）を取り付けることができ、
前記一方の取付金具（１０，１０）は、案内筒体（５４）と直交する方向で、その両側から案内筒体（５４）を挟持できるような切欠部（１５）を有する２つの部材からなり、
前記切欠部（１５）のそれぞれの内周縁には、半径方向に突出する複数の突起（１６，１６，…）が形成されていることを特徴とする自動ダンパー。
【請求項３】
請求項２において、回転駆動部（６０）として０度と９０度の二位置、即ち全閉位置と全開位置でのみ停止する二位置制御方式の電動モータを使用した場合において、連結軸（３０）の回動軸側端部に鍔部を形成し、この鍔部に中心角が略９０度の円弧状の長孔（４１）を形成し、この長孔（４１）と係合するストッパー（４２）を前記弁体（５１）の回動軸（５３）を案内する案内筒体（５４）の端部に形成されたフランジ部（５６）に設けることにより、当該鍔部を弁体の回動範囲調整板（４０）とすることができ、回転駆動部（６０）の回転部（６１）への連結軸（３０）の取り付け固定位置を適宜選択することにより、弁体（５１）の回動範囲を０度から９０度の間の任意範囲の二位置に決定することができることを特徴とする自動ダンパー。
【発明の詳細な説明】
【技術分野】
【０００１】  本願発明は、送風量を適宜調節するために、送風配管等の適宜位置に設けられるダンパーに関し、とりわけ弁体の開閉作業を電動モータ等の回転駆動機に行わせる自動ダンパーに関するものである。
【背景技術】
【０００２】  従来の手動式のダンパーとしては、本願出願人が提案した下記の意匠登録第１２００５４９号公報（特許文献１）及び意匠登録第１２０９０８５号公報（特許文献２）に記載されたものがある。
特許文献１に記載のダンパーは、弁体を回動動作させるための操作板に特徴があり、弁体の回動軸の上端部に円板状の操作板を設けて、この操作板の外周に中心から半径方向外側に伸びる把手を対称位置に設けたものである。使用者は、この操作板の把手に手を引っ掛けて回動させることにより弁体を所望開放位置に、又は閉鎖位置に配置させることが出来るものである。
特許文献２に記載のダンパーは、弁体の外周縁部全体に合成樹脂製の被覆部を形成して、弁体の気密性を向上させた気密ダンパーである。この気密ダンパーにおいては、弁体の気密性故に弁体の回動のためにより大きいトルクが必要となり、電動モータ等の回転駆動機を付加する自動ダンパーが要請されることとなる。
【特許文献１】意匠登録第１２００５４９号公報
【特許文献２】意匠登録第１２０９０８５号公報
【０００３】  図７は、上記手動式気密ダンパーに関するもので、その（Ａ）が透視斜視図、その（Ｂ）がエアー流通方向から見た斜視図である。
この気密ダンパーは、管体５０内に円板状の弁体５１が配備され、弁体５１の外周縁部全体には合成樹脂製の被覆部５２が設けられ、弁体の略中央部上下方向には弁体５１を回動するための回動軸５３が位置し、この回動軸５３は、管体５０上部の回動軸案内筒体５４内を貫通して、その上方端部で操作板５５と連結している。【０００４】  その連結は、回動軸５３の上端に形成された略矩形形状の突起部５３ｔが操作板５５の中央部に形成された略同一形状の孔部５５ｈに嵌合することによって行われている。案内筒体５４の上方端部にはフランジ部５６が形成され、このフランジ部５６の上面で操作板５５を回動させることができる。操作板５５には把手部５７、５７が設けられ、蝶ネジ５８を緩めることにより円弧状長孔５９を介して操作板５５を手によって回動させ、弁体５１を回動させることができる。その後蝶ネジ５８を締め付けることにより弁体を適宜角度位置で固定することができる。【０００５】  図８は、従来の自動ダンパーを図示しており、その（Ａ）が斜視図、その（Ｂ）が斜視図を９０度左回転した状態の正面図、その（Ｃ）が（Ｂ）の左側面図である。
この自動ダンパーは、管体５０内に弁体５１が配され、弁体５１には回動軸５３が配され、回動軸５３は管体５０の外側に設けられた回動軸案内筒体５４内を貫通し、その端部で電動モータ６０の回転部６１と連結する。電動モータ６０は、管体５０に固定された横断面略コ字形状の（電動モータ６０の取付面は正面図において右方向に延長している）取付金具６５に固定されている。
【発明の開示】
【発明が解決しようとする課題】
【０００６】  上記従来の自動ダンパーにおいては、ダンパー本体に取付金具６５を介して電動モータ６０が固定されているが、取付金具６５は、管体５０の外周面に溶接着されている。この取付金具６５の溶接着に際して、弁体５１の回動軸５３は、回動軸案内筒体５４による支持と、取付金具６５による支持と、電動モータ６０の回転部６１での固定支持により、３点で回動軸５３が支持されることとなり、そのセンタリングが難しく、即ち取付金具の溶接作業においてその位置決めが難しく、その溶接作業が容易でないという問題があった。
また図７に図示した従来の手動ダンパーにおいては、その弁体として気密性の高いものを使用しているために、高い回動トルクが要求され、自動化することが要請されていた。しかし、上記自動ダンパーの構成を利用して上記手動ダンパーに適用することも容易にできない状況であった。【０００７】  そこで本願発明においては、まず、取付金具の位置決めの困難な溶接作業をなくして、容易に自動ダンパーを製作することができることをその第一の課題とする。
更に、従来から存在する図７に図示したような手動ダンパーにも容易に電動モータ等を組み合わせて、自動ダンパーに改変、改良することができるようにすることもその第二の課題である。
また、回転駆動部として二位置制御方式の電動モータを使用した場合には、即ち、この電動モータの場合、全閉状態と全開状態との二つの位置（０度と９０度）で、弁体を停止させることができるが、この二位置制御電動モータを使用した場合であっても、その二位置を０度から９０度の間の任意の範囲に設定することができるようにすることも本願発明の課題である。
【課題を解決するための手段】
【０００８】  上記課題を解決するために、本願発明の第１のものは、エアーが流通する管体（５０）と、その管体（５０）内部に配設される回動自在の風量調節用弁体（５１）とからなるダンパー本体と、このダンパー本体の外側に組み付けられる電動モータ等の回転駆動部（６０）とからなり、ダンパー本体の弁体（５１）の回動軸（５３）を回転駆動部（６０）の回転部（６１）と連結して、弁体（５１）を開閉自在に回動させることができる自動ダンパーにおいて、取付金具を螺子等の固定手段によって組立て及び解体可能にダンパー本体に組み付け、この取付金具に回転駆動部を固定することができ、且つ、弁体（５１）の回動軸（５３）に連結軸（３０）を連結して、この連結軸（３０）を介して回転駆動部（６０）の回転部（６１）と前記弁体（５１）の回動軸（５３）とを連結したことを特徴とする自動ダンパーである。【０００９】  本願発明の第２のものは、上記第１の発明において、取付金具が、弁体（５１）の回動軸（５３）を案内する案内筒体（５４）の端部に形成されたフランジ部（５６）の両側に位置する２つの取付金具からなり、一方の取付金具（１０，１０）は前記案内筒体（５４）に取り付けられ、他方の取付金具（２０）が前記一方の取付金具（１０，１０）に取り付けられ、この他方の取付金具（２０）に回転駆動部（６０）を取り付けることができ、前記一方の取付金具（１０，１０）は、案内筒体（５４）と直交する方向で、その両側から案内筒体（５４）を挟持できるような切欠部（１５）を有する２つの部材からなり、前記切欠部（１５）のそれぞれの内周縁には、半径方向に突出する複数の突起（１６，１６，…）が形成されていることを特徴とする自動ダンパーである。【００１０】  本願発明の第３のものは、前記第２の発明において、回転駆動部（６０）として０度と９０度の二位置、即ち全閉位置と全開位置でのみ停止する二位置制御方式の電動モータを使用した場合において、連結軸（３０）の回動軸側端部に鍔部を形成し、この鍔部に中心角が略９０度の円弧状の長孔（４１）を形成し、この長孔（４１）と係合するストッパー（４２）を前記弁体（５１）の回動軸（５３）を案内する案内筒体（５４）の端部に形成されたフランジ部（５６）に設けることにより、当該鍔部を弁体の回動範囲調整板（４０）とすることができ、回転駆動部（６０）の回転部（６１）への連結軸（３０）の取り付け固定位置を適宜選択することにより、弁体（５１）の回動範囲を０度から９０度の間の任意範囲の二位置に決定することができることを特徴とする自動ダンパーである。
【発明の効果】
【００１１】  本願発明の第１のものにおいては、ダンパー本体と取付金具と回転駆動部とが別体に構成され、それぞれが螺子等の固定手段により組立て及び解体自在に構成されているために、従来のような取付金具の位置決めが非常に難しい溶接作業を省略でき、極めて簡単に自動ダンパーを螺子等の固定手段により組み立てることができる。
また、連結軸を介して回動軸と回転駆動部の回転部とを連結している関係上、連結点での両軸のセンタリングの不一致や、両軸の軸芯線に角度が生じても問題はなく、これらセンタリングの不一致等をその連結点にて解消することができ、センタリングの位置あわせにおいてそれ程注意が要求されることなく、容易に組み立てることが出来る。【００１２】  本願発明の第２のものにおいては、管体の外側面に回動軸案内筒体が植設され、その先端部にフランジ部が形成され、そのフランジ部の上面で操作板を回動させて弁体を開閉させる形式の従来の手動ダンパーにおいて、この操作板を取り除いて、本願発明の他の構成部材を利用することにより、即ち、取付金具、連結軸及び回転駆動部を組み合わせることにより、螺子等の固定手段によって簡単に本願発明に係る自動ダンパーに改変、改良することができる。【００１３】  本願発明の第３のものにおいては、その回動範囲調整板の存在と連結軸の電動モータ回転軸への固定位置により、二位置制御方式の電動モータを使用した場合であっても、弁体の回動範囲を０度から９０度の間の任意の範囲の二位置に設定することができる。
【発明を実施するための最良の形態】
【００１４】  以下、添付の図面と共に実施の形態について説明する。
図１は、本願発明の第一の実施形態を図示する全体斜視図であり、本願発明の概略をこの図によって説明する。
本願発明に係る自動ダンパーは、ダンパー本体部Ｄと、取付金具部Ｔと、電動モータ等の回転駆動部Ｍとから構成されている。
ダンパー本体部Ｄは、管体５０と、この管体５０内に配置されている弁体５１と、弁体５１の中央部上下方向に配備されている回動軸５３と、回動軸５３が貫通するところの管体の外側面に設けられた案内筒体５４と、図には明瞭に現れていないが、案内筒体５４の上端部に設けられた平面視略円形形状のフランジ部５６とから形成され、案内筒体５４の上端開口部からは、回動軸５３の上端部が少し外部に突出した状態となっている。
このダンパー本体部Ｄの構成は、図７に図示した従来の手動ダンパーにおいて、操作板５７を取り除いたものと同一の構成である。【００１５】  回転駆動部Ｍとしては、従来の正逆９０度回転する電動モータを使用することができるが、この種の電動モータとしては、弁体の開放角度を０度から９０度の範囲内で自由に選択して所望の角度で停止することができる比例制御方式のものや、弁体の開放角度を０度と９０度の２つの位置でのみ停止できる二位置制御方式のもの等を代表的なものとしてあげることができる。【００１６】  本願発明において特徴的な部分は、次に説明する取付金具部Ｔである。
この取付金具部Ｔは、前記フランジ部５６の下方に位置する下取付金具１０と、上取付金具２０とからなる。
下取付金具１０は、この図には明瞭に現れていないが、相互に対称形の２つの金属製の下取付金具からなり、案内筒体５４と直交する方向で両側から案内筒体５４を挟持するように固定されるものである。【００１７】  他方、上取付金具２０は、平面視略矩形形状の金属製板材の両端部を下方に折曲した形状を有し、この下向きの折曲部２１のそれぞれが下取付金具１０の折曲部１１に螺着され、固定されるものである。
そして、上取付金具２０には、この図には現れていないが、弁体５１の回動軸５３と連結しうる連結軸３０が貫通する貫通孔が形成されている。
この上取付金具２０に電動モータ等の回転駆動部６０が螺子によって螺着され、上記連結軸３０が回転駆動部６０の回転部６１に螺子により固着されうるのである。【００１８】  図２は、下取付金具１０，１０を図示しており、その（Ａ）が分解斜視図、その（Ｂ）が前記回動軸案内筒体５４を挟持するための半円形の切欠部１５の内周縁の形状を拡大した拡大説明図である。
この下取付金具１０ａ，１０ｂは、左右対称形状のもの２つで１組となっており、半円形の切欠部１５の部分で回動軸案内筒体５４を両側から挟持して、ボルト・ナットにより固定することができる。
この下取付金具１０ａ，１０ｂは、横断面略コ字形状のものからなり、その両端部には案内筒体５４を挟持する方向と逆方向に折曲された折曲部１１，１１が形成され、この部分には螺子穴１２が形成され、この螺子穴１２を利用して次に説明する上取付金具２０が螺着される。【００１９】  この下取付金具１０ａ，１０ｂの折曲部１１、１１が設けられている反対側の適宜位置には、半円形の切欠部１５が形成されており、この切欠部１５、１５が駆動軸５３の案内筒体５４を外側から挟持することが出来る。
また、下取付金具１０ａの切欠部１５の両側の位置で、折曲部１１が形成されている側面には、ボルト挿通孔１３，１３が形成され、他方の下取付金具１０ｂの対応位置にはナットが溶接着されている。これにより両下取付金具１０ａ，１０ｂは、ボルトにより相互に駆動軸案内筒体を挟持しつつ固定されることとなる。【００２０】  図２（Ｂ）に図示したとおり、切欠部１５の内周縁には、半径方向に突出する複数の突起部１６が形成されている。この実施形態では、平面視三角形の先の尖った形状の突起部が下取付金具のそれぞれに平面視４個ずつ、合計８個（これらが断面コ字形状の上面と下面のそれぞれに設けられている。）形成されている。この複数の突起部１６によって、駆動軸案内筒体５４を両下取付金具１０ａ，１０ｂが確実に挟持でき、挟持固定した状態で、両下取付金具１０ａ，１０ｂが案内筒体の周囲方向に回動してしまうことを防止することができる。【００２１】  図３は、前記下取付金具１０ａ、１０ｂに取り付けられる上取付金具２０を図示する斜視図である。この上取付金具２０は、ダンパー本体部Ｄのフランジ部の上から覆い被さるように配置され、そのフランジ部のすぐ下に取り付けた下取付金具１０，１０の両端部の折曲部１１、１１に螺着され固定されるものである。
この上取付金具２０は、平面視略矩形形状の金属板からなり、その両端部が下方に折曲された折曲部２１、２１を有する。この折曲部２１のそれぞれには、螺子挿通孔２２，２２が設けられ、前記下取付金具１０の折曲部１１に形成された螺子穴１２と合致させ、螺子により螺着されうる。この螺子挿通孔２２は、横に少し長い長孔に形成されており、下取付金具１０の螺子穴１２同士の間隔が多少広がっても対応できるように構成している。【００２２】  上取付金具２０の平面部２４の適宜位置には、貫通孔２５が穿設されており、この貫通孔２５には、下方から弁体の回動軸の上端部が嵌入し、上方からは前記回動軸の上端部と連結する連結軸（次に説明する）が嵌入しうることとなる。
平面部２４に設けられた貫通孔２５の周囲には、同一半径距離に２つの円弧状の長孔２６、２６が形成されている。この長孔２６、２６は、ダンパー本体Ｄの回動軸案内筒体５４の上端部に設けられたフランジ部５６の上面に刻印された弁体の角度目盛り等を視認できるように設けたものである。これにより本願発明に係る自動ダンパーを組み立てる際に、弁体の開閉位置（開放角度）と回転駆動部６０の回転部６１における弁体の開放角度目盛りとを合致させる際に利用できることとなる。
平面部２４の四隅に形成した上方に突出する突出部２８、２８、・・・は、上取付金具２０に取り付ける電動モータ等の回転駆動部６０を取り付ける際のスペーサーの役割を担っている。２９は、その回転駆動部を上取付金具２０に螺着するための螺子穴を図示している。【００２３】  図４は、弁体の回動軸に連結される連結軸を図示しており、その（Ａ）が斜視図、その（Ｂ）が底面図である。
この連結軸３０は、金属製の筒体の下面にその筒体の外径よりも大きい外径の円板３１を溶接着したものであり、その円板の中央部には、横長略矩形形状の接続孔部３２が形成されている。この接続孔部３２に弁体の回動軸５３の上端部に形成された突起部（図６の説明における突起部５３ｔが対応する）が遊嵌合するのである。【００２４】  これにより弁体の回動軸５３と連結軸３０とが連結され、連結軸３０の上方で、回転駆動部６０の回転部６１（図１）と連結し、回転駆動部６０の回転駆動が弁体に伝達される。より詳しくは、回転駆動部６０の回転部６１に形成されている貫通孔内に前記連結軸３０の上方部が貫通し、側方より螺子等により連結軸３０が回転部に固定されるのである。
尚、上記接続孔部３２の形状及び回動軸の上端部の突起部５３ｔの形状は、両者が適切に相互に嵌合して、回転駆動部の回転力が有効に伝達されうるものであれば、どのような形状、形態であってもよい。【００２５】  図５は、本願発明に係る自動ダンパーの特徴部分である取付金具と連結軸をダンパーの回動軸案内筒体とフランジ部に組み合わせた状態を図示しており、その（Ａ）が略透視平面図、その（Ｂ）が略透視側面図である。
これらの図から解る通り、弁体の回動軸案内筒体５４の上方側で、フランジ部５６の下面で案内筒体５４と直交する両側から案内筒体５４を下取付金具１０、１０がその切欠部において挟持し、図示していないボルトを溶接着されたナット１８，１８と締着して、下取付金具１０，１０を案内筒体５４に固定することができる。この際下取付金具の取り付け方向は、管体の送風気体の流通方向と並行にも、直角にも取り付け可能で、３６０度の何れの方向にも任意に自由に設定することができる。【００２６】  次に連結軸３０の下端の接続孔部３２を図には現れていないが回動軸の上端の突起部と嵌合させて連結し、連結軸３０の上方から上取付金具２０の貫通孔２５に該連結軸３０を挿通させながら下方に移行させて、上取付金具２０の両端部の折曲部２１を下取付金具１０，１０の折曲部１１、１１と適合させ、それぞれの螺子挿通孔２２と螺子穴１２とを合致させて、図示はしていないが螺子等により相互に螺着して、上取付金具２０を下取付金具１０に固定することができる。
これによりダンパー本体部Ｄへの上下の取付金具１０，２０と連結軸３０との組立てが完了し、螺子等により適宜固定し、その後回転駆動部を上取付金具２０に螺着し、連結軸３０と回転駆動部の回転部とを螺子等により固定して本願発明に係る自動ダンパーの組み立てが完了する。その後分解するときには螺子等の固定手段を緩めて取り外すことにより、簡単に分解することができるものである。【００２７】  図６は、本願発明に係る自動ダンパーの第二の実施形態を図示する分解透視斜視説明図である。
この実施形態においては、弁体の回動軸の回動角度の範囲を調整することの出来る回動範囲調整板４０を連結軸の下端部に設けたことが特徴となっている。その他の構成は、前記実施形態と同様である。
即ち、管体５０の側面から上方に伸びる回動軸案内筒体５４の上端には、フランジ部５６が形成され、このフランジ部５６の下方で下取付金具１０，１０が取り付け固定される。案内筒体５４の上端開口部からは、回動軸の上端の突起部５３ｔが突出した状態となっている。【００２８】  この突起部５３ｔと連結するのが、連結軸３０の下端に形成された接続孔部３２（図４（Ｂ）参照）である。ここにおいて連結軸３０の下端部には、平面視円形形状の鍔部が形成されており、この鍔部が回動軸の回動範囲を調整する回動範囲調整板４０となる。
この回動範囲調整板４０には、連結軸３０の軸芯を中心として、中心角が略９０度の円弧状の長孔４１が形成されており、この長孔４１に係合するストッパーとしてのストッパーネジ４２がフランジ部５６に形成されている螺子穴４３と螺合する。
即ち、この回動範囲調整板４０は、フランジ部５６に螺着されたストッパーネジ４２の存在によって、これが長孔４１と適合することにより、略９０度の範囲内で回動軸の回動を制約することができる。【００２９】  この回動範囲調整板４０に穿設されている丸孔４５は、フランジ部５６に刻印された目盛りである「Ｓ」（閉鎖位置の刻印）又は「Ｏ」（開放位置の刻印）等を読み取るためのものである。
弁体の回動軸に連結軸３０を連結し、回動範囲調整板４０の長孔４１の上方からストッパーネジ４２をフランジ部５６の螺子穴４３に螺合し、その後、上取付金具２０の貫通孔２５を連結軸３０に挿通させ、上取付金具２０を下取付金具１０，１０に取り付け、固定することができる。【００３０】  そして、図示はしていないが、上取付金具２０に回転駆動部としての電動モータを固定するが、この電動モータとしては、二位置制御方式のものを使用しており、従って、弁体を０度と９０度の二位置（全閉状態と全開状態の二位置）でのみ正逆回動、停止させることができるものを用いており、この場合であっても、上記回動範囲調整板４０の存在により、その回動範囲を０度と９０度でのみでなく、その０度と９０度の間で任意にその停止二位置を決定させることができるのである。【００３１】  即ち、上記回動範囲調整板４０に設けられた中心角が略９０度の円弧状の長孔４１とストッパーネジ４２の存在により、回動軸の回動範囲は９０度に制約されるわけであるが、同時に二位置制御モータの方でも、０度と９０度の二位置で停止するような構成となっているため、連結軸３０を電動モータの回転部に固定する際に、その固定位置を相互にずらすことによりその回動範囲を９０度以下に設定することができるのである。
具体的に一例を挙げれば、弁体を全閉位置から略３０度開放した状態の位置で、電動モータの側では０度の位置に合致させて、連結軸３０を電動モータの回転軸６１に固定することにより、弁体は３０度開放位置から９０度の全開位置の範囲で、これら３０度と９０度の二位置で停止することとなる。というのも、電動モータの回転部が６０度回転したときにストッパーネジ４２が長孔４１の一方の端部と当接して回動が阻止されるからである。【００３２】  このようにして、長孔４１とストッパー４２の位置関係と、電動モータへの連結軸３０の取り付け固定位置との調整により弁体の回動範囲は、自由に設定され、設定された範囲の二位置で弁体は停止することとなるのである。
ストッパーとしてのストッパーネジ４２の構成は全く自由であって、回動範囲調整板４０の回動を阻止できるものであればよく、スペーサーとネジによって構成することもできる。
また、回動範囲調整板４０は、連結軸３０と一体的に形成したが、これらを別体にして実施することもできるが、その強度等を考慮すると、本実施形態のように一体的に形成することが好ましい。【００３３】  以上、本願発明の実施形態について説明したが、本願発明においては以下の通り種々その形態を変更することが可能である。
本願発明に係るダンパーの管体の外径又は内径は、自由に設定できる。その内径等により弁体の外径も適宜設定できる。機密性を高めるための弁体の外周縁部に設けたシリコン樹脂等の合成樹脂被覆部は、これを設けずに実施することも可能である。
回動軸案内筒体の上端部に設けられたフランジ部は、本実施形態においては、平面視円形形状の金属製板材を使用しているが、平面視形状は略四角形であってもよく、その形状は全く自由に設定することができる。【００３４】  下取付金具に関しても、その形状及び大きさは全く自由であって、回転駆動部の大きさ等に適合させて設計することができる。
この下取付金具においては、駆動軸案内筒体に取り付け固定する関係上、その半円形の切欠部（組み合わせたときには円形の貫通孔を形成する）が必要となるが（切欠部の平面視形状は必ずしも半円形でなくとも実施は可能である。）、この下取付金具は、一対の対称形のものを利用して案内筒体を両側から挟持するように取り付けられるため、両者の間に多少の隙間が存在しても良い。即ち、切欠部が横断面円形の案内筒体の外径と完全同一である必要はなく、多少の径の相違は、この隙間により調整でき、しかも、上取付金具の折曲部に設けられた螺子挿通孔を横長の長孔に形成することにより、この径の相違の問題も解消する。【００３５】  また、この切欠部の内周縁部に形成されている突起部の大きさ、形状及び数も必要に応じて自由に設定することができる。この突起部の存在により下取付金具の案内筒体の周囲方への滑り又は回動がほぼ完璧に阻止されうる。
上取付金具の大きさや形状も自由に設計でき、その上に固定される回転駆動部の大きさ等に適宜適合させて自由に設計できる。この上取付金具においては、下取付金具と固定される下方への折曲部が存在していれば、その形状等は自由である。【００３６】  スペーサーの役目を果たす突出部２８は、他の別体のスペーサーを使用することも出来、必須の構成要素ではない。
連結軸３０に関しても、その構成は、回動軸の上端部と適切に連結して、回転駆動力が伝達できるものであれば、どのような構成のものであってもよい。上記実施形態では、略矩形形状の接続孔部３２が形成されているが、その形状は全く自由である。
また、円板３１の溶接着により連結軸の下端に鍔部の如き形状を呈することとなっているが、この鍔部は特に設ける必要はない。単なる製作上の都合からこのような形状が採用されたものである。
尚、上記第二の実施形態で提示した回動範囲調整板４０は、連結軸３０の下端に鍔部として一体的に形成したが、その鍔部の平面視形状は円形形状でなく、適宜必要に応じて各種形状のものを採用することができる。
【図面の簡単な説明】
【００３７】
【図１】本願発明に係る第一の実施形態の全体斜視図である。
【図２】本願発明の第一実施形態に係る下取付金具の実施形態を図示しており、その（Ａ）が分解斜視図、その（Ｂ）が下取付金具の切欠部の拡大説明図である。
【図３】本願発明の第一実施形態に係る上取付金具の実施形態を図示する斜視図である。
【図４】本願発明の第一実施形態に係る連結軸の実施形態を図示しており、その（Ａ）が斜視図、その（Ｂ）が底面図である。
【図５】本願発明の第一実施形態に係る取付金具と連結軸をダンパーの回動軸案内筒体とフランジ部に組み合わせた状態を図示しており、その（Ａ）が透視平面図、その（Ｂ）が透視側面図である。
【図６】本願発明に係る自動ダンパーの第二の実施形態を図示する分解透視斜視説明図である。
【図７】従来の手動式気密ダンパーを図示したもので、その（Ａ）が透視斜視図、その（Ｂ）がエアー流通方向から見た斜視図である。
【図８】従来の自動ダンパーを図示しており、その（Ａ）が斜視図、その（Ｂ）が斜視図を９０度左回転した状態の正面図、その（Ｃ）が（Ｂ）の左側面図である。
【符号の説明】
【００３８】１０…下取付金具、１１…折曲部、１５…切欠部、１６…突起部、２０…上取付金具、２１…折曲部、２５…貫通孔、３０…連結軸、３２…接続孔部、４０…回動範囲調整板、４１…長孔、４２…ストッパー、５０…管体、５１…弁体、５３…回動軸、５４…案内筒体、５６…フランジ部、６０…回転駆動部、６１…回転部
【図１】
2006153415.tif 000003
【図２】
2006153415.tif 000004
【図３】
2006153415.tif 000005
【図４】
2006153415.tif 000006
【図５】
2006153415.tif 000007
【図６】
2006153415.tif 000008
【図７】
2006153415.tif 000009
【図８】
2006153415.tif 000010